(57)【要約】  光記録担体上のスポットの半径方向ポジションの決定における誤差が低減する光記録装置を提供すること。光記録装置による書き込み動作時の、光記録担体上の書き込みスポットのポジションは、記録されるデータの品質にとって重要である。スポットの半径方向の位置決めは、トラッキングスポット（ここからの信号が書き込みスポットの位置を識別する）によって容易にすることができる。トラッキングスポットからの信号は、その近傍の光記録担体の特性によって影響される。具体的には、この影響は、スポットの各々に隣接するトラックの特性として、トラックが記録されている、または記録されていないことによって生じる。本発明は、光記録担体上のどのデータ層に記録するか、または記録方向には関係なく、トラッキングスポットを記録にとって最適なポジションに配置することができるように、トラッキングスポットを生成する手段を回転させるステップを備えている。
2009517799.tif 000002
【特許請求の範囲】
【請求項１】
データを記録するためのトラックを備えている少なくとも2つの層を備えている光記録担体にデータを記録する光記録装置であって、前記光記録装置が、光ビームを備えており、かつ、前記光記録担体にデータを記録するために使用される書き込みスポットの位置決めを支援するため前記光ビームからトラッキングスポットを生成する手段を、さらに備えている、光記録装置において、
記録される層の各々に対して、トラッキングスポットの各々が、前記光記録担体上の2つの隣接するトラックの間に位置し、かつ、2つの側面において記録されたトラックに隣接しているか、または、2つの側面において記録されていないトラックに隣接しているかの何れかになるように、トラッキングスポットを生成する前記手段が、トラッキングスポットの最適な配向を達成するため少なくとも2つのポジションの間で回転可能であるように、トラッキングスポットを生成する前記手段が、回転の手段と協働することを特徴とする、光記録装置。
【請求項２】
トラッキングスポットを生成する前記手段が、格子を備えている、請求項１に記載の光記録装置。
【請求項３】
前記格子が、光の3つのスポット、すなわち、1つのメインスポットおよび2つの衛星スポット、を生成する3ビーム格子である、請求項２に記載の光記録装置。
【請求項４】
トラッキングスポットを生成する前記手段が、プッシュプルトラッキングシステムの一部を形成している、請求項１に記載の光記録装置。
【請求項５】
前記回転の手段が、モーターを備えている、請求項１に記載の光記録装置。
【請求項６】
前記回転の手段が、ピエゾ素子を備えている、請求項１に記載の光記録装置。
【請求項７】
データをトラックに沿って記録することのできる少なくとも2つの層を備えている光記録担体と協働して、光記録装置を動作させる方法であって、
−  トラッキングスポットを生成する手段を提供するステップであって、トラッキングスポットを生成する前記手段が、前記手段が少なくとも2つのポジションの間で回転可能であるように、回転の手段と協働するようにされているステップと、
−  前記光記録装置を書き込みモードで動作させてデータ層にデータを記録するステップと、
−  層1に記録する場合、トラッキングスポットの各々が、前記光記録担体上の2つの隣接するトラックの間に位置しており、かつ、2つの側面において記録されたトラックに隣接しているか、または2つの側面において記録されていないトラックに隣接しているかの何れかになるように、トラッキングスポットを生成する前記手段を、データ層にデータを書き込む動作に従って配置し、これによって、メイン書き込みスポットに対する少なくとも先導スポットおよび後続スポットを提供するステップと、
−  層2に記録する場合、トラッキングスポットを生成する前記手段を、前記回転の手段によって回転させ、前記トラッキングスポットのポジションを調整し、前記トラッキングスポットが、2つの側面において記録されたトラックに隣接しているか、または2つの側面において記録されていないトラックに隣接しているかの何れかになるようにし、かつこれによって、層1に記録するための前記先導スポットの配向が層2に記録するための前記後続スポットになり、かつ、層1に記録するための前記後続スポットの配向が層2に記録するための前記先導スポットになるように、かつこの逆も同様に、前記メイン書き込みスポットに対する少なくとも先導スポットおよび後続スポットを提供するステップ、または、
−  層2に記録する場合、トラッキングスポットを生成する前記手段を、前記回転の手段によって回転させ、前記トラッキングスポットのポジションを調整し、前記トラッキングスポットが、2つの側面において記録されたトラックに隣接しているか、または2つの側面において記録されていないトラックに隣接しているかの何れかになるようにし、かつ、これによって、層1に記録するための前記先導スポットが、引き続き、層2に記録するための前記先導スポットであり、かつ、層1に記録するための前記後続スポットが、引き続き、層2に記録するための前記後続スポットであるように、前記メイン書き込みスポットに対し少なくとも先導スポットおよび後続スポットを提供する、ステップと、
を備えている、方法。
【請求項８】
−  トラッキングスポットを生成する前記手段を、製造時に較正から得られる事前に格納されている設定によって決まる量だけ回転させる追加のステップ、
を備えている、請求項７に記載の、光記録装置を動作させる方法。
【請求項９】
光ピックアップユニットを備えている光記録装置の初期プログラミングの方法であって、
−  トラッキングスポットを生成する手段を提供するステップであって、トラッキングスポットを生成する前記手段が、前記手段が少なくとも2つのポジションの間で回転可能であるように、回転の手段と協働する、ステップと、
−  前記回転の手段に適用されるべき回転量の少なくとも1つの所定の設定を備えている較正源を提供するステップと、
−  回転量の前記少なくとも1つの所定の設定を、前記光記録装置の前記OPUの不揮発性メモリまたは他のメモリコンポーネントに組み込むステップと、
を備えている、方法。
【発明の詳細な説明】
【技術分野】
【０００１】
本発明は、光記録装置の分野に関し、より詳細には、記録動作時の記録機能および書き込みスポットの位置決めと、記録動作のために光記録装置を動作させる方法とに関する。さらに、本発明は、データを記録するためのトラックを備えている少なくとも2つの層を備えている光記録担体にデータを記録する光記録装置であって、前記光記録装置が、光ビームを備えており、かつ、前記光記録担体にデータを記録するために使用される書き込みスポットの位置決めを支援するため前記光ビームからトラッキングスポットを生成する手段をさらに備えている、光記録装置、に関する。
【背景技術】
【０００２】
光記録装置は、幅広く知られている。このような装置は、フォーカスされたスポットの形式の光を使用して、1つ以上のデータ層を備えることのできる光記録担体からデータを読み取る、またはデータを書き込む。光記録担体に格納されるデータ量は増大する傾向にあり、このため光記録装置の複雑さが増しており、これら装置の動作上の許容差がより厳しくなっている。
【０００３】
光記録装置と、それらの読み取り・書き込み機能の動作と、ハードウェアに関連付けられる制御機構と、光記録担体用のいくつかのタイプの媒体に関する情報は、非特許文献１に記載されている。この書籍は、特に、光記録装置による光記録担体上の情報の半径方向トラッキングおよび垂直トラッキングを確保するサーボシステムについて記載している。さらに、光記録担体装置に関する情報が記載されている。光記録担体は、データを書き込む、またはデータを読み取ることのできる1層を備えていることが標準となっている。現在の傾向には、2層以上のデータ層を有する光記録担体も含まれる。
【０００４】
光記録装置、特に光ヘッドおよび半径方向サーボ機構に関するさらなる情報は、非特許文献２に記載されている。
【０００５】
半径方向トラッキング用として言及されている1つの方法は、プッシュプル法であり、この方法は、通常ではさまざまな回折次数に光を回折させることによる衛星トラッキングスポット(satellite tracking spot)の生成を含んでいる。メイン書き込みスポット（光記録担体に情報を記録するために使用される）の位置を制御するため、トラッキングスポットからの情報を処理し、メインスポット自体からのトラッキング情報と組み合わせる。これに代える方法では、トラッキングスポットからの情報のみを処理し、書き込みスポットの位置、特に、光記録担体上のトラックに対する位置を生成する。トラックにデータを書き込むことができるためには、メインスポットが光記録担体上のトラックに一致するように位置している必要がある。従って、通常、メインスポットに対して、トラックの側面の各々に2つのトラッキングスポットが配置される。理想的な状況においては、トラッキングスポットは、記録されるトラックの側面の各々において、記録されるトラックとその隣の隣接するトラックとの中間に位置している。衛星スポットの各々からの信号は、比較および処理される。理想信号からの差は、理想的なポジションからずれた位置を示している。次いで、この情報はフィードバックされ、メインスポットをディスク上のより良好な半径方向ポジションに調整させることができる。
【０００６】
この公知のシステムにおける問題は、光記録担体上の隣接するトラックに起因し、フィードバック信号におけるクロストークから生じる、トラッキング信号におけるオフセットが、光記録担体のトラックの特性に依存してバランスを失う(become unbalanced)ことがあり、これによってスポットの半径方向ポジションにおける誤差が生じることである。
【非特許文献１】「光ディスクシステムの原理（Principles of Optical Disc Systems）」（G. Bouwhuisら、ISBN 0-85274-785-3、Pub. Adam Hilger Ltd）
【非特許文献２】「光ヘッド（Optical Heads）」（J. Schleipenら、Encyclopaedia of Optical Engineering DOI: 10.1081/E-EOE 120009664 （2003年）、Pub. Marcel Dekker, Inc.）
【発明の開示】
【発明が解決しようとする課題】
【０００７】
本発明の目的は、光記録担体上のスポットの半径方向ポジションの決定における誤差が低減する光記録装置を提供することである。
【課題を解決するための手段】
【０００８】
この目的は、記録される層の各々に対して、トラッキングスポットの各々が、前記光記録担体上の2つの隣接するトラックの間に位置し、かつ、2つの側面において記録されたトラックに隣接しているか、または、2つの側面において記録されていないトラックに隣接しているかの何れかになるように、トラッキングスポットを生成する前記手段が、トラッキングスポットの最適な配向を達成するため少なくとも2つのポジションの間で回転可能であるように、トラッキングスポットを生成する前記手段が、回転の手段と協働する本発明の光記録装置により、達成される。
【０００９】
プッシュプル信号におけるオフセットは、トラッキングスポットの近傍環境における対称性の欠如から生じる。このオフセット値は、書き込みプロセス時に使用される書き込み出力にも依存する。なぜなら、大きな書き込み出力を使用するときには、トラックが強いコントラストで記録され、トラッキングスポットのプッシュプル信号におけるオフセットの影響が大きくなりうるためである。対称性が回復すると、オフセットも低減する。対称性は、スポットの側面の各々におけるトラックの両方が記録されている、または両方が記録されていないようにスポットを配置することによって、回復する。
【００１０】
光記録担体上のトラックは、平面の層内に配置されており、光記録担体の内側からディスクの外側に半径が徐々に増していく輪として延びている螺旋をたどる。データは、内側から、または外側から、この螺旋をたどりながら光記録担体に書き込むことができる。複数のデータ層を備えている光記録担体の場合、螺旋をたどる方向を層の間で交換することが最も効率的である。すなわち、第一層が、光記録担体の内側から外側の方に延びている螺旋をたどって書き込まれる場合、次の層の書き込みプロセスは、光記録担体の外側において開始され、その螺旋を内側の方にたどり、この逆についても同様である。しかしながら、これは、トラッキングスポットの配置構成は、2層のうちの一方の層にしか有効でない結果となる。第二層においては、トラッキング信号におけるオフセットが形成され、書き込みスポットの半径方向の位置決めの誤差が生じる。
【００１１】
トラッキングスポットは、光記録装置における1つ以上のコンポーネントによって生成され、このコンポーネントは、データが書き込まれるトラックに対する特定の配置構成(alignment)においてトラッキングスポットを生成する。次いで、この配置構成を、第一層とは異なる方向に螺旋に沿って書き込まれる第二データ層に対する最適な配置構成となるように、変更する。トラッキングスポットを生成する1つ以上のコンポーネントを、次のデータ層に記録する前に回転させることによって、層の各々において最適な配置構成を有することができる。このようにして、半径方向のトラッキング信号が改善される。
【００１２】
本発明のさらなる実施例においては、トラッキングスポットを生成する前記手段は、格子(grating)を備えている。
【００１３】
本発明のさらなる実施例においては、前記格子は、光の3つのスポット、すなわち、1つのメインスポットおよび2つの衛星スポット、を生成する3ビーム格子(three beam grating)である。
【００１４】
格子は、トラッキングスポットおよびメインスポットを生成するための有効な方法である。回折の次数の間の光の強さおよび回折の広がり(spread of the diffraction)は、格子の設計に応じて制御することができる。
【００１５】
本発明のさらなる実施例においては、トラッキングスポットを生成する前記手段は、プッシュプルトラッキングシステムの一部を形成している。
【００１６】
プッシュプルトラッキングシステムの動作は、スポットからの信号と、特に差異および非対称性の影響を強く受ける。従って、プッシュプルトラッキングシステムは、本発明を実施するうえで好適なシステムである。
【００１７】
本発明のさらなる実施例においては、前記回転の手段は、モーターを備えている。
【００１８】
本発明のさらなる実施例においては、前記回転の手段は、ピエゾ素子を備えている。
【００１９】
トラッキングスポットを生成する手段は、例えば、モーターおよびピエゾ素子を備えているメカニズムを使用して、回転させることができる。この回転は、トラッキングスポットを生成するために使用される格子または他のコンポーネントを回転させる、光記録装置における光ピックアップユニット（OPU）の内側に位置しているモーターまたはピエゾ素子、によって実現することができる。回転は、OPUの工場内で較正ディスクにおいて較正することができる。（これに代えて、OPUから生成されるスポットを観察し、これらのスポットを特定の角度に調整することによってトラッキングスポットを調整することもできる。ただしこの方法は精度が低い。）記録を1つの層から別の層に切り換えるとき、または選択される特定の層について設定するとき、事前に格納されている設定をピックアップに呼び出すことができる。格子を回転させるのに必要な時間は、一般的な光記録装置においてすでに利用可能なデータバッファを使用して補償することができる。
【００２０】
本発明のさらなる実施例の場合、データをトラックに沿って記録することのできる少なくとも2つの層を備えている光記録担体と協働して、光記録装置を動作させる方法であって、
−  トラッキングスポットを生成する手段を提供するステップであって、トラッキングスポットを生成する前記手段が、前記手段が少なくとも2つのポジションの間で回転可能であるように、回転の手段と協働するようにされているステップと、
−  前記光記録装置を書き込みモードで動作させてデータ層にデータを記録するステップと、
−  層1に記録する場合、トラッキングスポットの各々が、前記光記録担体上の2つの隣接するトラックの間に位置しており、かつ、2つの側面において記録されたトラックに隣接しているか、または2つの側面において記録されていないトラックに隣接しているかの何れかになるように、トラッキングスポットを生成する前記手段を、データ層にデータを書き込む動作に従って配置し、これによって、メイン書き込みスポットに対する少なくとも先導スポットおよび後続スポットを提供するステップと、
−  層2に記録する場合、トラッキングスポットを生成する前記手段を、前記回転の手段によって回転させ、前記トラッキングスポットのポジションを調整し、前記トラッキングスポットが、2つの側面において記録されたトラックに隣接しているか、または2つの側面において記録されていないトラックに隣接しているかの何れかになるようにし、かつこれによって、層1に記録するための前記先導スポットの配向が層2に記録するための前記後続スポットになり、かつ、層1に記録するための前記後続スポットの配向が層2に記録するための前記先導スポットになるように、かつこの逆も同様に、前記メイン書き込みスポットに対する少なくとも先導スポットおよび後続スポットを提供するステップ、または、
−  層2に記録する場合、トラッキングスポットを生成する前記手段を、前記回転の手段によって回転させ、前記トラッキングスポットのポジションを調整し、前記トラッキングスポットが、2つの側面において記録されたトラックに隣接しているか、または2つの側面において記録されていないトラックに隣接しているかの何れかになるようにし、かつ、これによって、層1に記録するための前記先導スポットが、引き続き、層2に記録するための前記先導スポットであり、かつ、層1に記録するための前記後続スポットが、引き続き、層2に記録するための前記後続スポットであるように、前記メイン書き込みスポットに対し少なくとも先導スポットおよび後続スポットを提供する、ステップと、
を備えている、方法が、提供される。
【００２１】
この方法では、トラッキング方向にかかわらず、光記録担体上のすべてのデータ層をトラッキングして、半径方向トラッキングと同じレベルの質で書き込むことができる。
【００２２】
本発明のさらなる実施例においては、上に記載されている方法は、追加のステップとして、
−  トラッキングスポットを生成する前記手段を、製造時に較正から得られる事前に格納されている設定によって決まる量だけ回転させる追加のステップ、
を備えている。
【００２３】
この方法では、多数の光記録装置の間で、較正を標準化することができる。
【００２４】
光ピックアップユニット（OPU）を備えている光記録装置の初期プログラミングの方法は、
−  トラッキングスポットを生成する手段を提供するステップであって、トラッキングスポットを生成する前記手段が、前記手段が少なくとも2つのポジションの間で回転可能であるように、回転の手段と協働する、ステップと、
−  前記回転の手段に適用されるべき回転量の少なくとも1つの所定の設定を備えている較正源を提供するステップと、
−  回転量の前記少なくとも1つの所定の設定を、前記光記録装置の前記OPUの不揮発性メモリまたは他のメモリコンポーネントに組み込むステップと、
を備えている。
【００２５】
この方法によれば、大量生産環境において、標準の回転較正を実行することができる。
【発明を実施するための最良の形態】
【００２６】
図1は、光記録装置（図示していない）の書き込みプロセス中に、矢印12によって示されている方向に回転している光記録担体11の一部を示している。この場合、データは、螺旋状のトラックの内側半径(inside radius)から外側半径(outside radius)に書き込まれている。書き込まれたデータを保持するように設計されている螺旋状のトラックの一部が、図示されている。すでに記録されたトラック部分が、黒13として、記録されていないトラック部分が、白14として示されている。データの記録は、光の書き込みスポット15によって行われる。書き込みスポット15の側面の各々に、トラッキングスポット16, 17が位置している。トラッキングスポット16（書き込みスポット15の後ろに遅れている）は、その2つの側面において、記録されているトラックに隣接しており、その一方で、他方のトラッキングスポット17（書き込みスポット15より前にある）は、その2つの側面において、記録されていないトラックに隣接している。トラッキングスポット16, 17の各々に隣接している記録されたトラック13／記録されていないトラック14の対称性により、書き込みスポット15の半径方向トラッキング（図示していない）のためシステムに戻されるプッシュプル信号のバランスが維持され、これによって、書き込みスポット15の位置を良好に決定することができる。
【００２７】
図2は、図1に示されているものと同じ光記録担体および記録方向における、トラッキングスポットの代替の配置編成を示している（図1と同じ要素には同一または対応する参照番号が付されている）。図2においては、書き込みスポット15より前にあるスポットがトラッキングスポット26であり、遅れているトラッキングスポットが27である。このとき、トラッキングスポット26, 27に隣接するトラックの特性に留意されたい。トラッキングスポット26, 27の各々において、一方の側面には記録されていないトラック14が存在しており、他方の側面には記録されているトラック13が存在している。このような状況により、書き込みスポット15の半径方向トラッキングのためのシステム（図示していない）に戻されるトラッキングスポット信号において非対称性が生じる。プッシュプル信号に生じるオフセットにより、書き込みプロセスの半径方向トラッキングの質が低下する。
【００２８】
図3は、光記録担体31におけるトラッキングスポットとトラックとの相対的な配置を示している。この場合も、光記録担体は、書き込みプロセス時、矢印12によって示されている方向に回転する。この光記録担体は、データを格納するための層を有するが、前の場合とは異なり、トラックへの記録は、外側半径から始まり、内側半径の方に内側に移動しながら行われる。従って、記録されたトラック領域33（この図でも黒として示されている）は、光記録担体31の外側であり、記録されていないトラック領域32（この図でも白として示されている）は、内側の方である。トラッキングスポット36, 37は、光記録担体に対して、図1の場合と同じ配向に配置されている。しかしながら、記録の方向は、切り替わっており、トラッキングスポットは、記録されたトラック33および記録されていないトラック32に対して、もはや最適には配置されていない。この状況は、図2について説明した場合と同じ効果を有する。このような状況により、書き込みスポット15の半径方向トラッキング（図示していない）のため、システムに戻されるトラッキングスポット信号において、非対称性が生じる。プッシュプル測定に生じるオフセットにより、書き込みプロセスの半径方向トラッキングの質が低下する。（なお、光記録担体31は、光記録担体11の第二層を表しているものと解釈することもでき、この場合、異なるトラックへの記録は反対方向に行われる。）
【００２９】
図1は、周囲のトラックの特性に基づいたときのトラッキングスポットの最適な配置構成を示している。図2および図3は、場合によっては光記録装置の動作上の要件、または複数のデータ層を備えている光記録担体を使用することに起因する、最適ではないトラッキングスポットの配置構成によって、トラッキングスポットから得られる信号に悪影響が及ぶ状況を示している。
【００３０】
図4は、従来技術においては最適ではないトラッキングスポットの配置につながる状況において、本発明を適用した結果を示している。以下では、一例として、光記録担体31と書き込みモード動作が、図3に詳しく示されている記録動作を参照しながら説明される。光記録装置（図示していない）の中には、光記録担体31上の書き込みスポット15の半径方向トラッキングに使用されるトラッキングスポット（図示していない）を生成する手段が存在している。図3に示されている状況に適用される本発明は、このトラッキングスポットを生成する手段を回転させることを備えている。
【００３１】
本発明の一実施例においては、トラッキングスポット36および37を、それぞれ、トラッキングスポット46および47によって示されている新しいポジションに回転させる。本発明の代替実施例においては、トラッキングスポット36および37が、それぞれ、トラッキングスポット47および46によって示されている新しいポジションを有するように、より小さな回転が使用される。本発明のいずれかの実施例による回転の結果として、トラッキングスポット46, 47の各々に隣接する記録されたトラック33／記録されていないトラック32の対称性によって、書き込みスポット15の半径方向トラッキング（図示していない）のためシステムに戻されるプッシュプル信号のバランスが維持されるように、トラッキングスポット46, 47の両方が配置され、これによって、書き込みスポット15の位置を良好に決定することができる。
【００３２】
図4においては、ハードウェア要素が、（図3に示されている）1つの状態から（図4に示されている）別の状態に回転することによるポジションの変化（この結果として、光記録担体上のトラッキングスポットのポジションが変化する）として、本発明が、示されている。これらの回転またはポジションは、システムに対して較正させる、メモリに事前に格納させておく、工場において設定させることなどができるが、これらは、必ずしも2つのポジションのみに限定されない。
【００３３】
図5は、本発明による、光記録装置を動作させる方法を示している。光記録装置は、例えば、光記録担体にデータを書き込むために、光記録担体と協働するように構成されている。
【００３４】
光記録装置には、トラッキングスポットを生成する手段であって、トラッキングスポットを生成する手段が、少なくとも2つのポジション51の間で回転可能であるように、回転の手段と協働するように構成されている手段、が設けられている。これにより、トラッキングスポットが、記録されたトラックの間、または記録されていないトラックの間にあり、かつスポットが、一方の側面に記録されたトラックを、他方の側面に記録されていないトラックを有することが無いように配置され、トラッキングスポットを光記録担体上でフレキシブルかつ最適に配置することができる。このようにして、光記録担体上の書き込みスポットの半径方向トラッキングを制御するために使用されるプッシュプル信号における対称性が、維持され、オフセットが回避され、しかも情報の品質が損なわれない。
【００３５】
本方法の次のステップ52においては、光記録装置は、光記録担体のデータ層にデータを記録するために、書き込みモードで動作させる。光記録担体は、1つ以上の層を有することができるが、この例においては、本発明を説明するため、2層を有する光記録担体が使用されている。データは、一度につき1層に記録される。
【００３６】
本方法の次のステップ53によると、層1に記録する場合、トラッキングスポットの各々が、光記録担体上の2つの隣接するトラックの間に位置し、かつ、2つの側面において記録されたトラックに隣接している、または、2つの側面において記録されていないトラックに隣接しているように、トラッキングスポットを生成する手段が、データ層にデータを書き込む動作に従って配置される。これによって、メイン書き込みスポットに対する少なくとも先導スポットおよび後続スポットが与えられる。このような配置編成においては、書き込みスポットのポジションを制御するメカニズムに戻される信号における対称性が最適である。
【００３７】
他の方法ステップ54によると、層2に記録する場合、トラッキングスポットを生成する手段は、トラッキングスポットを調整するために回転の手段によって回転させなければならず、かつ、2つの側面において記録されたトラックに隣接しているか、または2つの側面において記録されていないトラックに隣接しているかの何れかに、調整される。これによって、メイン書き込みスポットに対する少なくとも先導スポットおよび後続スポットが与えられる。本発明の一実施例においては、回転は、層1に記録するための先導スポットの配向が、層2に記録するための後続スポットになり、かつ、層1に記録するための後続スポットの配向が、層2に記録するための先導スポットになるようなものとなる。本発明の別の実施例においては、層1に記録するための先導スポットが、引き続き、層2に記録するための先導スポットであり、かつ、層1に記録するための後続スポットが、引き続き、層2に記録するための後続スポットである。（従来技術におけるように）回転が起こらなければ、層1に対して最適であったトラッキングスポットのポジションは、光記録担体に対して同じままであろう。しかしながら、光記録装置の動作において、層2を使用すると、トラッキングスポットの最適なポジションが変化し、従って、層2において使用されるトラッキングスポットのポジションが不適切なものとなる。本発明によると、これらのスポットを生成する手段の回転によってトラッキングスポットを回転させることにより、すべての層において、トラッキングスポットを光記録担体上に最適に配置することができる。
【００３８】
図6は、図5に概説されている方法の全ステップを備えており、かつ追加のステップ61を含んでいる、本発明の光記録装置を動作させる方法を示している。この追加のステップでは、製造時に較正から得られる事前に格納されている設定によって決まる量だけ、トラッキングスポットを生成する手段を回転させることができる。このようなステップにより、異なる光記録装置に対しても回転を標準化することができる。このことは、大量生産環境において有利である。
【００３９】
図7は、本発明による、光記録装置の初期プログラミングの方法を示している。この方法は、トラッキングスポットを生成する手段を提供するステップ71であって、トラッキングスポットを生成する手段が、この手段が少なくとも2つのポジションの間で回転可能であるように、回転の手段と協働するようにされている、ステップ、を備えている。この方法は、回転の手段に供給される回転量の少なくとも1つの所定の設定を備えている較正源を提供するステップ72を、さらに備えている。本方法のさらなるステップ73は、回転量の少なくとも1つの所定の設定を、光記録装置のOPUの不揮発性メモリまたはその他のメモリコンポーネントに組み込むステップを備えている。この方法は、特定のタイプの光記録装置に適用する、または特定のタイプの光記録担体（例:複数のデータ層を有する光記録担体）に適用するのに必要となりうる回転数および設定に関してフレキシブルである。
【図面の簡単な説明】
【００４０】
【図１】光記録担体への書き込み動作時（データは螺旋状のトラックの内側半径から外側に書き込まれる）のトラッキングスポットの最適なポジションであって、結果として、トラッキングスポットの個々のプッシュプル信号における半径方向オフセットが最小になるポジションを示している。
【図２】光記録担体への書き込み動作時（データは螺旋状のトラックの内側半径から外側に書き込まれる）のトラッキングスポットの不適切なポジションであって、結果として、トラッキングスポットの個々のプッシュプル信号における半径方向オフセットが望ましくないものとなるポジションを示している。
【図３】光記録担体への書き込み動作時（データは螺旋状のトラックの外側半径から内側に、すなわち、図1および図2に示されている方向とは逆の方向に書き込まれる）の最適ではないトラッキングスポットのポジションであって、結果として、トラッキングスポットの個々のプッシュプル信号における半径方向オフセットが望ましくないものとなるポジションを示している。
【図４】光記録担体への書き込み動作時（データは螺旋状のトラックの外側半径から内側に、すなわち、図1および図2に示されている方向とは逆の方向に書き込まれる）のトラッキングスポットのポジションの改善を示しており、トラッキングスポットが本発明に従って回転しており、従って、トラッキングスポットの個々のプッシュプル信号における半径方向オフセットが最小となるようにトラッキングスポットが配置されている。
【図５】本発明による、光記録装置を動作させる方法を示している。
【図６】本発明による、光記録装置を動作させる方法を示している。
【図７】本発明による、光記録装置の初期プログラミングの方法を示している。
【符号の説明】
【００４１】
11  光記録担体
12  光記録担体の回転方向
13  記録されたトラック
14  記録されていないトラック
15  書き込みスポット
16  トラッキングスポット
17  トラッキングスポット
26  トラッキングスポット
27  トラッキングスポット
31  光記録担体
32  記録されていないトラック
33  記録されたトラック
46  トラッキングスポット
47  トラッキングスポット
51〜54, 61, 71〜73  本発明による方法のプロセスステップ
【図１】
2009517799.tif 000003
【図２】
2009517799.tif 000004
【図３】
2009517799.tif 000005
【図４】
2009517799.tif 000006
【図５】
2009517799.tif 000007
【図６】
2009517799.tif 000008
【図７】
2009517799.tif 000009
【国際調査報告】
2009517799.tif 000010
2009517799.tif 000011
2009517799.tif 000012